(57)【要約】【課題】三相交流電源が接続されても、部品数やコストを増加させずに、待機電力を低減可能な空気調和機を得ること。【解決手段】三相交流電源３に接続された室外機１と、室外機１に３芯により接続された室内機２と、を備え、電源線２３及び共通線２４を介して室内機２に給電する空気調和機であって、室内機２は、電源線２３と信号線２５との接続を開閉する室外起動リレー８と、該室外起動リレー８を動作させて信号線２５と共通線２４との間に給電する室内制御部４と、を備え、室外機１は、三相交流電源３に接続された整流部９と、三相交流電源３と室外機１との接続を開閉し、整流部９の後段に設けられた電源供給リレー３９と、整流部９の出力を平滑するコンデンサ１３と、共通線２４と信号線２５との間に給電されたときに電源供給リレー３９を閉じる電源供給リレーコイル４０とを備え、室内制御部４は運転待機時に電源線２３と信号線２５との接続を開放させる。【選択図】図１
2014156963.tif 000002
【特許請求の範囲】
【請求項１】
三相交流電源に接続された室外機と、該室外機に電源線、共通線、及び信号線の３芯により接続された室内機と、を備え、前記電源線及び前記共通線を介して前記室内機に単相交流電源を給電する空気調和機であって、
前記室内機は、前記電源線と前記信号線との接続を開閉する室外起動リレーと、該室外起動リレーを動作させて前記信号線と前記共通線との間に単相の交流電力を供給させる室内制御部と、を備え、
前記室外機は、
前記三相交流電源に接続された整流部と、
前記三相交流電源と前記室外機との接続を開閉し、前記整流部の後段に設けられた電源供給リレーと、
前記整流部の出力を平滑するコンデンサと、
前記共通線と前記信号線との間に前記単相交流電源が供給されたときに前記電源供給リレーを閉じる電源供給リレーコイルと、を備え、
前記室内制御部は、運転待機時に前記電源線と前記信号線との接続を開放させることを特徴とする空気調和機。
【請求項２】
前記室外機は、
前記信号線及び前記共通線を介して前記室内機と通信する室外通信回路部と、
前記電源供給リレーコイルへの通電を遮断し、前記室外通信回路部に前記共通線を接続させる電源供給切替リレーと、
該電源供給切替リレーを動作させる室外制御部と、を備え、
前記電源供給リレーは、
前記室外制御部により動作される室外リレーと、
該室外リレーと並列に接続され、前記電源供給リレーコイルの通電により動作する突入電流防止リレーと、を備え、
前記信号線と前記共通線との間に単相の交流電力が供給されて前記突入電流防止リレーの接点が閉じ、前記室外リレーを動作させて閉じた後に、前記電源供給切替リレーを動作させ、前記共通線と前記室外通信回路を接続し、前記室内機との通信を開始させ、運転停止して待機状態に移行する際に、前記室外制御部が前記室外リレーを開放させることを特徴とする請求項１に記載の空気調和機。
【請求項３】
前記室外機は、
前記室外リレーの動作の識別を行い、前記突入電流防止リレーのバイパス経路を有する室外動作切替部を備え、
該室外動作切替部によって前記室外起動リレーを動作させないと識別したときに、該バイパス経路より前記室外機を起動させ、運転停止して待機状態に移行しても、前記室外制御部が前記室外リレーを開放させずに接続を維持し続けることを特徴とする請求項１または請求項２に記載の空気調和機。
【請求項４】
前記室内機は、
前記室外起動リレーの動作の識別を行う室内動作切替部を備え、
該室内動作切替部によって前記室外起動リレーを動作させないと識別したときに、前記室外起動リレーを動作させないことを特徴とする請求項１乃至請求項３のいずれか一項に記載の空気調和機。
【発明の詳細な説明】
【技術分野】
【０００１】
本発明は、空気調和機に関する。
【背景技術】
【０００２】
従来の空気調和機では、リレーによって電力の供給を部分的に遮断することで、運転待機時における室外機の消費電力を低減している。例えば、特許文献１に開示されている空気調和機は、室内機と室外機が電源線、電源信号共通線、信号線の３芯で接続され、前記室外機または前記室内機に供給された商用電源（単相の交流電源）を、前記電源線と前記電源信号共通線を介して給電する空気調和機であって、前記室内機は、前記電源線と前記信号線との接続を開閉する室外起動リレーと、前記室外起動リレーを動作させて前記信号線と前記電源信号共通線との間に前記商用電源の電力を供給させる室内制御部と、を備え、前記室外機は、前記商用電源と室外整流部との接続を開閉する電源供給リレー（室外リレー及び突入電流防止リレー）と、前記信号線と前記電源信号共通線との間に前記商用電源の電力が供給されたとき、前記電源供給リレーを閉じることを特徴としている。
【先行技術文献】
【特許文献】
【０００３】
【特許文献１】特開２０１０−２４３０５１号公報
【発明の概要】
【発明が解決しようとする課題】
【０００４】
上記従来の技術では、運転待機時の待機電力を低減するために、電源供給リレーによって電力を遮断している。しかしながら、空気調和機に接続された商用電源が三相交流電源である場合に、このような従来例の構成をそのまま適用すると、電源線の３線のうち２つを遮断しなければならない。そのため、電源供給リレーを追加で設けなければならず、部品数の増加と、これに伴うコストの増加が避けられない、という問題があった。
【０００５】
本発明は、上記に鑑みてなされたものであって、三相交流電源を用いても部品数やコストを増加させることなく、運転待機時の待機電力を低減可能な空気調和機を得ることを目的とする。
【課題を解決するための手段】
【０００６】
上述した課題を解決し、目的を達成するために、本発明は、三相交流電源に接続された室外機と、該室外機に電源線、共通線、及び信号線の３芯により接続された室内機と、を備え、前記電源線及び前記共通線を介して前記室内機に単相交流電源を給電する空気調和機であって、前記室内機は、前記電源線と前記信号線との接続を開閉する室外起動リレーと、該室外起動リレーを動作させて前記信号線と前記共通線との間に単相の交流電力を供給させる室内制御部と、を備え、前記室外機は、前記三相交流電源に接続された整流部と、前記三相交流電源と前記室外機との接続を開閉し、前記整流部の後段に設けられた電源供給リレーと、前記整流部の出力を平滑するコンデンサと、前記共通線と前記信号線との間に前記単相交流電源が供給されたときに前記電源供給リレーを閉じる電源供給リレーコイルと、を備え、前記室内制御部は、運転待機時に前記電源線と前記信号線との接続を開放させることを特徴とする。
【発明の効果】
【０００７】
本発明によれば、三相交流電源を用いる場合であっても、部品数やコストを増加させることなく、運転待機時の待機電力を低減可能な空気調和機を得ることができるという効果を奏する。
【図面の簡単な説明】
【０００８】
【図１】図１は、実施の形態１にかかる空気調和機の構成を示す図である。
【図２】図２は、実施の形態１にかかる空気調和機が待機状態から運転動作を開始するまでの動作を説明するフローチャートを示す図である。
【図３】図３は、実施の形態１にかかるフローチャートの各ステップにおける各リレーの状態を示す表である。
【図４】図４は、実施の形態１にかかる運転動作開始時における空気調和機の構成（接続状態）を示す図である。
【図５】図５は、実施の形態１にかかる空気調和機が運転動作している状態から待機状態に移行するまでの動作を説明するフローチャートを示す図である。
【図６】図６は、実施の形態２にかかる空気調和機の構成を示す図である。
【図７】図７は、実施の形態２にかかる空気調和機が待機状態から運転動作を開始するまでの動作を説明するフローチャートを示す図である。
【図８】図８は、実施の形態３にかかる空気調和機の構成を示す図である。
【図９】図９は、実施の形態４にかかる空気調和機の構成を示す図である。
【発明を実施するための形態】
【０００９】
以下に、本発明にかかる空気調和機の実施の形態を図面に基づいて詳細に説明する。なお、この実施の形態によりこの発明が限定されるものではない。また、異なる図面であっても、同一構成または相当する構成には同一の符号を付す。
【００１０】
実施の形態１．
図１は、本実施の形態にかかる空気調和機の構成を示す図である。図１に示す構成は、室外機起動前のものである。図１に示す空気調和機は、室外機１と室内機２を備える。
【００１１】
室外機１は、室外整流部９と、突入電流防止リレー１０と、突入電流防止抵抗１１と、室外リレー１２と、コンデンサ１３と、インバータ回路部１４と、室外制御部１５と、室外動作切替部１６と、通信回路電源部１７と、室外通信回路部１８と、電源供給切替リレー１９と、突入電流防止リレー駆動部２０と、室外端子台２２と、を備える。室外端子台２２は、Ｒ端子２６と、Ｓ端子２７と、Ｔ端子２８と、を備え、これらを介して三相交流電源３に接続されて室外機１に電力が供給されている。室外端子台２２は、室外Ｓ１端子２９と、室外Ｓ２端子３０と、室外Ｓ３端子３１と、をさらに備え、室外Ｓ１端子２９はＲ端子２６に接続され、室外Ｓ２端子３０はＳ端子２７に接続されており、単相の交流電力が供給されている。なお、突入電流防止リレー１０及び室外リレー１２が、電源供給リレー３９である。
【００１２】
室内機２は、室内制御部４と、室内整流部５と、室内通信回路部６と、室内動作切替部７と、室外起動リレー８と、リモコン３６と通信する受信部３５と、室内端子台２１と、を備える。室内端子台２１は、室内Ｓ１端子３２と、室内Ｓ２端子３３と、室内Ｓ３端子３４と、を備え、室外Ｓ１端子２９と室内Ｓ１端子３２は、電源線２３を介して接続され、室外Ｓ２端子３０と室内Ｓ２端子３３は、電源信号共通線２４を介して接続され、室外Ｓ３端子３１と室内Ｓ３端子３４は、信号線２５を介して接続されている。室内Ｓ３端子３４に接続された室外起動リレー８は、室内Ｓ３端子３４を室内Ｓ１端子３２または室内通信回路部６に接続させ、接続の切り替えが可能な構成である。すなわち、図１に示す室外起動リレー８では、ｃ端子が固定されている。
【００１３】
室外起動リレー８は、室内制御部４によって動作を制御される。室外起動リレー８を動作させない時（非通電時）には、室内Ｓ３端子３４は、室外起動リレー８を介して室内通信回路部６に接続され、電源信号共通線２４と信号線２５が室外機１と接続される。このようにして室外機１と室内機２の通信ラインが確立され、各種運転信号等を室外機１と室内機２の間で送受信する。室外起動リレー８を動作させた時（通電時）には、室内Ｓ３端子３４は、室外起動リレー８を介して室内Ｓ１端子３２に接続され、電源信号共通線２４と信号線２５の間に単相の交流電力が供給される。
【００１４】
室内Ｓ１端子３２は室内整流部５に接続されており、室内Ｓ２端子３３は室内整流部５と室内通信回路部６に接続されている。室内整流部５は、電源線２３と電源信号共通線２４の間に供給される単相の交流電力を直流電力に変換し、変換した直流電力を室内制御部４に供給する。
【００１５】
室内制御部４に接続された室内動作切替部７は、スイッチまたはジャンパー線などによって運転待機時の待機電力を低減するか否かを設定する。例えば、室内動作切替部７がジャンパー線接続用のｃ１，ｃ２，ｃ３端子を備え、ｃ１，ｃ２端子にジャンパー線が接続されているときには待機電力を低減し、ｃ２，ｃ３端子にジャンパー線が接続されているときには待機電力を低減しない設定とすればよい。
【００１６】
受信部３５は、リモコン３６からの運転指令を受信して、室内制御部４に伝える。
【００１７】
室外整流部９は、Ｒ端子２６と、Ｓ端子２７と、Ｔ端子２８と、に接続されており、三相交流電源３の交流電力を整流して任意の電圧の直流電力に変換する。室外整流部９の出力の一端は、突入電流防止リレー１０と、室外リレー１２と、室外動作切替部１６と、に接続されている。室外リレー１２は、動作しないときには接点を開放しており、室外制御部１５によって開閉動作を制御される。
【００１８】
室外動作切替部１６は、突入電流防止リレー１０の両端に別々に接続され、室外制御部１５にも接続されており、スイッチまたはジャンパー線などによって運転待機時の待機電力を低減するか否かを設定する。例えば、室外動作切替部１６がジャンパー線接続用のａ１，ａ２端子及びｂ１，ｂ２端子を備え、ａ１，ａ２端子にジャンパー線が接続されているときには待機電力を低減し、ｂ１，ｂ２端子にジャンパー線が接続されているときには突入電流防止リレー１０をバイパスする電流経路が形成されて、待機電力を低減しない設定とすればよい。そして、室外動作切替部１６は、待機電力を削減するか否かを室外制御部１５に送信する。
【００１９】
コンデンサ１３の一端は突入電流防止抵抗１１と室外リレー１２に接続され、他端は室外整流部９に接続されている。コンデンサ１３は、室外整流部９の出力を平滑化し、インバータ回路部１４及び室外制御部１５に直流電力を供給する。
【００２０】
室外機１は、通信回路電源部１７と、室外通信回路部１８と、電源供給切替リレー１９と、電源供給リレーコイル４０を含む突入電流防止リレー駆動部２０と、を備える。室外Ｓ２端子３０に接続された電源供給切替リレー１９は、室外Ｓ２端子３０を通信回路電源部１７または突入電流防止リレー駆動部２０に接続させ、接続の切り替えが可能な構成である。すなわち、図１に示す電源供給切替リレー１９では、ｃ端子が固定されている。電源供給切替リレー１９は、室外制御部１５によって動作を制御される。電源供給切替リレー１９を動作させない時（非通電時）には、室外Ｓ２端子３０は、電源供給切替リレー１９を介して突入電流防止リレー駆動部２０に接続され、電源信号共通線２４と信号線２５の間に単相の交流電力が供給される。このように通電されると、突入電流防止リレー駆動部２０が通電し、突入電流防止リレー駆動部２０が備える電源供給リレーコイル４０によって、開放されていた突入電流防止リレー１０が閉じられる。電源供給切替リレー１９を動作させる時（通電時）には、室外Ｓ２端子３０は、電源供給切替リレー１９を介して通信回路電源部１７に接続される。通信回路電源部１７は、電源線２３と電源信号共通線２４との間に供給される単相の交流電力から直流電力を生成し、室外通信回路部１８に電力を供給する。直流電力の生成は、例えば半波整流回路によって行えばよいが、これに限定されない。
【００２１】
インバータ回路部１４は、供給された直流電力を交流電力に変換する。インバータ回路部１４は室外制御部１５に制御され、圧縮機を駆動するモータ（図示しない）などに接続されている。変換された交流電力は、このようなモータの動作に応じた周波数及び電圧とすればよい。
【００２２】
従来の構成では、単相交流電源に電源供給リレーが接続されており、接続される商用電源を三相交流電源として従来の構成を適用すると、電源供給リレーが追加で１つ必要となる。図１に示す空気調和機は、室外整流部９の後段に接続された電源供給リレー３９を備え、単相交流の場合と同じ部品数で構成することができ、以下に説明するように低待機電力とすることが可能である。
【００２３】
次に、図１に示す空気調和機の動作について説明する。三相交流電源３は、Ｒ端子２６、Ｓ端子２７、Ｔ端子２８を介して、室外機１に電力を投入する。運転待機時には、突入電流防止リレー１０及び室外リレー１２が開放されているため、室外機１の負荷であるインバータ回路部１４、室外制御部１５、室外動作切替部１６には、電力は供給されない。
通信回路電源部１７の一端は室外Ｓ１端子２９を介して電源線２３に接続されている。しかし、通信回路電源部１７の他端が接続された電源供給切替リレー１９では、非通電時にはｂ端子とｃ端子が接続されており、電源信号共通線２４と通信回路電源部１７が非接続である。そのため、通信回路電源部１７にも電力が供給されず、室外通信回路部１８にも電力が供給されない。突入電流防止リレー駆動部２０の一端は室外Ｓ２端子３０を介して電源信号共通線２４に接続されている。しかし、突入電流防止リレー駆動部２０の他端は室外Ｓ３端子３１を介して信号線２５に接続されているため、突入電流防止リレー駆動部２０にも、電力が供給されない。
【００２４】
このように、運転待機時には、インバータ回路部１４、室外制御部１５、室外動作切替部１６、通信回路電源部１７、室外通信回路部１８及び突入電流防止リレー駆動部２０に電力が供給されないため、室外機１の待機電力は低い。
【００２５】
図２は、図１に示す空気調和機が待機状態から運転動作を開始するまでの動作を説明するフローチャートを示す図である。図３は、図２に示すフローチャートの各ステップにおける各リレーの状態をまとめて示す表である。
【００２６】
電源を投入すると、室内機２では、三相交流電源３から電源線２３と電源信号共通線２４を介して電力が供給され、室内制御部４が起動する。
【００２７】
次に、室内制御部４が室内動作切替部７の設定を確認する。ここでは、図１に示すように、室内動作切替部７のｃ１，ｃ２端子にジャンパー線が接続されているので、運転待機時の待機電力を低減する空気調和機であると識別される。室内制御部４は、リモコン３６からの運転開始指令信号を受信するまで待機する（ステップＳ１）。
【００２８】
リモコン３６から運転開始指令信号が送信されると、室内制御部４は、受信部３５を介してリモコン３６からの運転開始指令信号を受信する（ステップＳ２）。
【００２９】
運転開始指令信号を受信すると、室内制御部４は、室外起動リレー８をオン動作させて接続を切り替え、室外起動リレー８においてｃ端子をａ端子に接続させる。すなわち、室内Ｓ３端子３４と室内通信回路部６との接続を切り離し、室内Ｓ１端子３２と室内Ｓ３端子３４との接続に切り替える（ステップＳ３）。このように接続すると、室外Ｓ２端子３０と室外Ｓ３端子３１との間に単相の交流電力が供給され、電圧が印加される。
【００３０】
このように、室外Ｓ２端子３０と室外Ｓ３端子３１との間に単相の交流電力が供給されると、電源供給切替リレー１９を介して突入電流防止リレー駆動部２０が通電され、突入電流防止リレー駆動部２０が備える電源供給リレーコイル４０によって、突入電流防止リレー１０が閉じる（ステップＳ４）。
【００３１】
このように、突入電流防止リレー１０が閉じると、三相交流電源３から供給された交流電力は室外整流部９で直流電力に変換され、コンデンサ１３とインバータ回路部１４には突入電流防止抵抗１１を介して直流電力が供給され、電圧が印加される。なお、電流の経路に突入電流防止抵抗１１が存在することによって、短絡を防ぐことができる。このように、直流電力が供給されると、室外制御部１５が起動する（ステップＳ５）。
【００３２】
起動した室外制御部１５は、室外動作切替部１６の設定を確認する。ここでは、図１に示すように、室外動作切替部１６のａ１，ａ２端子にジャンパー線が接続されているので、運転待機時の待機電力を低減する空気調和機であると識別される。そして、室外制御部１５は、室外リレー１２を閉じる（ステップＳ６）。
【００３３】
室内制御部４は、室外起動リレー８をオン動作（ａ端子とｃ端子を接続）させて一定時間経過後に、または、コンデンサ１３の電圧が所定の直流電圧に達したときに、室外起動リレー８をオフ動作（ｂ端子とｃ端子を接続）させ、室内Ｓ１端子３２と室内Ｓ３端子３４との接続を切り離し、室内Ｓ３端子３４を室内通信回路部６に接続させる（ステップＳ７）。
【００３４】
このように接続を切り替えることで、室外Ｓ２端子３０と室外Ｓ３端子３１との間の単相の交流電力の供給が停止する。そのため、突入電流防止リレー駆動部２０への電力の供給も停止し、突入電流防止リレー１０はオフ動作して開放される（ステップＳ８）。このように動作させることで、室外機１の起動時の短絡を防止することができる。
【００３５】
なお、上記の説明では、室外起動リレー８がオフ動作した後に突入電流防止リレー１０がオフ動作しているが、突入電流防止リレー１０がオフ動作した後に室外起動リレー８がオフ動作してもよい。すなわち、図２におけるステップＳ７とステップＳ８は入れ替えてもよい。
【００３６】
次に、室外制御部１５は、電源供給切替リレー１９をオン動作（ａ端子とｃ端子を接続）させ、室外Ｓ２端子３０と突入電流防止リレー駆動部２０との接続を開放し、室外Ｓ２端子３０と通信回路電源部１７とを接続する（ステップＳ９）。電源供給切替リレー１９がオン動作すると、室外Ｓ１端子２９と室外Ｓ２端子３０との間に供給される単相の交流電力が通信回路電源部１７に供給され、電圧が印加される。通信回路電源部１７は、単相の交流電力を任意の電圧の直流電力に変換し、室外通信回路部１８に供給する。
【００３７】
室外制御部１５は、室外通信回路部１８を動作させる。室外通信回路部１８は、電源信号共通線２４と信号線２５を介して、室内通信回路部６との通信を開始する（ステップＳ１０）。
【００３８】
そして、室外制御部１５は、室外通信回路部１８と室内通信回路部６との通信が確立できたか否かを判定する（ステップＳ１１）。
【００３９】
室外制御部１５が、通信を確立できたと判定したときには、室外機１と室内機２は、定常通信を行う（ステップＳ１２）。室外制御部１５は、室内機２からの運転開始指令により冷暖房運転を開始する（ステップＳ１３）。
【００４０】
図４は、本発明にかかる空気調和機の実施の形態１の構成を示す図であって、運転動作開始時の空気調和機内の各リレーの接続状態を示す図である。
【００４１】
ステップＳ１１において、室外制御部１５が、室内通信回路部６と室外通信回路部１８との通信が確立できなかったと判定したときには、室内通信回路部６と室外通信回路部１８との通信を再度試み、通信の確立ができたか否かを再度判定する。このような通信の確立の判定は、規定回数内（または規定時間内）で通信が確立したと判定されるまで繰り返す（ステップＳ１４）。
【００４２】
再度の判定により通信が確立したと判定された場合には、上記と同様に、室外機１と室内機２の通信は、定常通信へと移行する（ステップＳ１２）。しかしながら、再度の判定によっても通信が確立したと判定されず、さらには規定回数内（または規定時間内）に通信が確立したと判定されなかった場合には、室外制御部１５は、通信異常と判定する（ステップＳ１５）。
【００４３】
以上説明したように、待機状態の空気調和機に対して運転動作を開始させることができる。
【００４４】
図５は、空気調和機が運転動作している状態から待機状態に移行するまでの動作を説明するフローチャートを示す図である。
【００４５】
空気調和機が冷暖房運転中であるとき（ステップＳ１６）に、リモコン３６からの運転停止指令信号を受信すると、室内制御部４は、受信部３５を介してリモコン３６からの運転停止指令信号を受信する。
【００４６】
運転停止指令信号を受信すると、室内制御部４は、室内通信回路部６に信号を送信し、室内通信回路部６から室外通信回路部１８に運転停止指令信号を送信し、空気調和機の運転を停止する（ステップＳ１７）。
【００４７】
室内制御部４は、上記のように運転停止から一定時間経過した後に、室外機１に対して低待機電力動作に移行するよう指令信号を送信する（ステップＳ１８）。
【００４８】
室外制御部１５は、室外リレー１２をオフ動作させて開放させる（ステップＳ１９）。
【００４９】
これにより、三相交流電源３からの電力の供給が停止し、コンデンサ１３で整流後の直流電圧が低下し（ステップＳ２０）、室外制御部１５がオフする（ステップＳ２１）。
【００５０】
室外制御部１５が非通電となるため、電源供給切替リレー１９はオフ動作（ｂ端子とｃ端子を接続）し、通信回路電源部１７と室外Ｓ２端子３０との接続が開放され、室外Ｓ２端子３０と突入電流防止リレー駆動部２０が接続される（ステップＳ２２）。
【００５１】
このような接続関係となることで、室外機１での主な負荷であるインバータ回路部１４、室外制御部１５及び通信回路電源部１７は非通電となり、室外機１は低待機電力動作に移行する（ステップＳ２３）。
【００５２】
以上説明したように、運転動作している状態から待機状態に移行させ、運転待機時の室外機１の待機電力を低減することができる。
【００５３】
以上、本実施の形態にて説明したように、本実施の形態の空気調和機は、商用電源が三相交流電源の場合であっても整流後の直流電力の経路を遮断することが可能な構成となっている。そのため、単相交流電源による交流電力の経路を遮断する従来方式を三相交流電源に適用する場合と比べて、遮断回路を構成する突入電流防止リレー１０と突入電流防止抵抗１１と室外リレー１２を追加せず（コストを増加させず）、単相交流の場合と同じ部品数で、待機電力を低減することができる。すなわち、省電力化が可能である。
【００５４】
実施の形態２．
図６は、本実施の形態にかかる空気調和機の構成を示す図である。図６に示す構成における接続関係は、商用電源投入前のものである。図６に示す構成は、図１における室内動作切替部７及び室外動作切替部１６のジャンパー接続のみを変えたものである。
【００５５】
図６に示す構成において、室内動作切替部７ではｃ２，ｃ３端子にジャンパー線が接続され、室外動作切替部１６ではｂ１，ｂ２端子にジャンパー線が接続されている。その他の構成は、実施の形態１の図１と同様である。
【００５６】
図７は、図６に示す空気調和機が待機状態から運転動作を開始するまでの動作を説明するフローチャートを示す図である。
【００５７】
室外機１に三相交流電源３から交流電力が供給されると、室内機２には電源線２３と電源信号共通線２４を介して交流電力が供給され、室外機１と室内機２が起動する（ステップＳ２４）。
【００５８】
室内機２が起動すると、室内機２では、室内制御部４が室内動作切替部７の設定を確認する。ここでは、図６に示すように、室内動作切替部７のｃ２，ｃ３端子にジャンパー線が接続されているので、運転待機時の待機電力を低減しない空気調和機であると識別される（ステップＳ２５）。
【００５９】
室内制御部４は、リモコン３６からの運転開始指令信号を待ち、該信号を受信する（ステップＳ２６）。
【００６０】
室外機１では、三相交流電源３から供給された交流電力が、室外整流部９によって任意の電圧の直流電力に変換される。変換された直流電力は、突入電流防止リレー１０をバイパスする室外動作切替部１６のｂ１，ｂ２端子に接続されたジャンパー線を介してコンデンサ１３に供給される。なお、電流の供給経路には突入電流防止抵抗１１が存在するため、短絡を防止することができる。
【００６１】
このように直流電力が供給されると室外制御部１５が起動し、室外制御部１５は、室外動作切替部１６の設定を確認する。ここでは、図６に示すように、室外動作切替部１６のｂ１，ｂ２端子にジャンパー線が接続されているので、運転待機時の待機電力を低減しない空気調和機であると識別される（ステップＳ２７）。
【００６２】
次に、室外制御部１５が、室外リレー１２をオン動作させて閉じる（ステップＳ２８）。このように動作することで、室外機１の起動時における短絡を防止することができる。
【００６３】
次に、室外制御部１５が、電源供給切替リレー１９をオン動作（ａ端子とｃ端子を接続）させ、室外Ｓ２端子３０と通信回路電源部１７とを接続する（ステップＳ２９）。そして、室外機１と室内機２は、通信を開始する（ステップＳ３０）。
【００６４】
室外制御部１５は、室外機１（室外通信回路部１８）と室内機２（室内通信回路部６）との通信が確立できたか否かを判定する（ステップＳ３１）。
【００６５】
室外制御部１５が通信を確立できたと判定したときには、室外機１と室内機２は、定常通信を行う（ステップＳ３２）。そして、室外制御部１５は、室内機２からの運転指令により冷暖房運転を開始する（ステップＳ３３）。
【００６６】
ステップＳ３１において、室外制御部１５が、室外機１（室外通信回路部１８）と室内機２（室内通信回路部６）との通信が確立できなかったと判定したときには、通信を再度試み、通信の確立ができたか否かを再度判定する。このような通信の確立の判定は、規定回数内（または規定時間内）で通信が確立したと判定されるまで繰り返す（ステップＳ３４）。
【００６７】
再度の判定により通信が確立したと判定された場合には、上記と同様に、室外機１と室内機２の通信は、定常通信へと移行する（ステップＳ３２）。しかしながら、再度の判定によっても通信が確立したと判定されず、さらには規定回数内（または規定時間内）に通信が確立したと判定されなかった場合には、室外制御部１５は、通信異常と判定する（ステップＳ３５）。
【００６８】
以上説明したように、待機状態の空気調和機に対して運転動作を開始させることができる。
【００６９】
次に、運転動作時から待機状態に移行するまでの動作について説明する。空気調和機が冷暖房運転中であるときに、リモコン３６から運転停止指令信号を受信すると、室内制御部４は、受信部３５を介してリモコン３６からの運転停止指令信号を受信する。運転停止指令信号を受信すると、室内制御部４は、室内通信回路部６に信号を送信し、室内通信回路部６から室外通信回路部１８に運転停止指令信号を送信し、運転を停止する。
【００７０】
本実施の形態の空気調和機では、運転待機時の待機電力が低減されないため、室外制御部１５は、室外リレー１２をオフ動作させず、閉じた状態を維持する。電源供給切替リレー１９もオン状態（ａ端子とｃ端子を接続）を維持し、通信回路電源部１７への単相による交流電力の供給は継続される。
【００７１】
本実施の形態の空気調和機は、このようにして運転動作している状態から待機状態に移行する。
【００７２】
以上説明したように、本実施の形態の空気調和機では、ジャンパー線の接続を切り替えるだけで、待機電力を低減するか否かを選択することが可能である。従って、据付時または据付後に待機電力を低減するか否かを容易に切り替えることができる。
【００７３】
また、室外機１の製造時に、待機電力を低減しない設定としておけば、室外機１で起動できるため、室外機１と室内機２を接続させずに各々出荷検査することが可能である。
【００７４】
また、室外機１においては、室外動作切替部１６のジャンパー線を１度繋ぎかえるのみで、室外制御部１５に低待機電力動作しないことを識別させるのみならず、突入電流防止リレー１０をバイパスする経路の生成もできるため、例えば、低待機電力動作しないにも関わらず、突入電流防止リレー１０をバイパスする経路を確保できないという設定ミスを防止することができる。
【００７５】
以上、本実施の形態にて説明したように、本発明の空気調和機は、ジャンパー接続を変えて待機電力を低減しない設定とした場合であっても、待機状態から運転動作を開始させ、運転動作している状態から待機状態に移行させることが可能である。
【００７６】
実施の形態３．
図８は、本実施の形態にかかる空気調和機の構成を示す図である。図８に示す構成における接続関係は、商用電源投入前のものである。図８において、室外機の構成は実施の形態１，２と同様であり、室外機と三相交流電源との接続及び室外機と室内機との接続は、実施の形態１，２と同様である。
【００７７】
図８に示す構成と実施の形態１，２に示す構成では、室内機が待機電力を低減する機能を有していない点が相違する。具体的には、室内機３７に室内動作切替部７及び室外機動作リレー８が設けられておらず、室内通信回路部６が室内Ｓ３端子３４に接続されている。
【００７８】
室外機１は、実施の形態２と同様に端子ｂ１，ｂ２の間がジャンパー線により接続されており、運転待機時の待機電力を低減しない設定である。
【００７９】
図８に示す構成の動作では、図７に示すフローチャートからステップＳ２５が除かれている点が異なる。そのため、室内制御部４が、運転待機時の待機電力を低減しない空気調和機であると識別するステップを有さず、室内機３７の起動後は、運転開始指令信号を待つことになる（ステップＳ２６）。そして、室内機３７は、運転待機時の待機電力を低減しない空気調和機として動作することになる。その後の動作は、図７のフローチャートと同様である。
【００８０】
このように、本発明における運転待機時の待機電力を低減する室外機１は、待機電力を低減する機能を有さない室内機３７と接続させることができる。
【００８１】
以上説明したように、本実施の形態の空気調和機では、故障などで室外機のみを交換する場合、室内機３７が既存の待機電力を低減できない構成であっても、既存の待機電力を低減できない室外機を準備することなく、運転待機時の待機電力動作を選択できる室外機１と交換すればよい。そのため、本実施の形態の空気調和機では、保守運用のために、既存の待機電力を低減できない室外機を準備する必要がなく、保守運用性を向上させることができる。
【００８２】
実施の形態４．
図９は、本実施の形態にかかる空気調和機の構成を示す図である。図９に示す構成における接続関係は、商用電源投入前のものである。図９において、室内機の構成は実施の形態１，２と同様であり、室外機と三相交流電源との接続及び室外機と室内機との接続は、実施の形態１，２と同様である。
【００８３】
図９に示す構成と実施の形態１，２に示す構成では、室外機３８が待機電力を低減する機能を有していない点が相違する。具体的には、突入電流防止リレー１０、室外動作切替部１６、電源供給切替リレー１９及び突入電流防止リレー駆動部２０が設けられておらず、室外整流部９が突入電流防止抵抗１１に接続され、通信回路電源部１７が室外Ｓ２端子３０に接続されている。
【００８４】
室内機２は、実施の形態２と同様に端子ｃ２，ｃ３の間がジャンパー線により接続されており、運転待機時の待機電力を低減しない設定である。
【００８５】
図９に示す構成の動作では、図７に示すフローチャートからステップＳ２７が除かれている点が異なる。そのため、室外制御部１５が、運転待機時の待機電力を低減しない空気調和機であると識別するステップを有さず、室外機３８の起動後は、室外制御部１５が、室外リレー１２をオン動作させて閉じるステップに進むことになる（ステップＳ２８）。そして、室外機３８は、運転待機時の待機電力を低減しない空気調和機として動作することになる。その後の動作は、図７のフローチャートと同様である。
【００８６】
このように、本発明における運転待機時の待機電力を低減する室内機２は、待機電力を低減する機能を有さない室外機３８と接続させることができる。
【００８７】
以上説明したように、本実施の形態の空気調和機では、故障などで室内機のみを交換する場合、室外機３８が既存の待機電力を低減できない構成であっても、既存の待機電力を低減できない室内機を準備することなく、運転待機時の待機電力動作を選択できる室内機２と交換すればよい。そのため、本実施の形態の空気調和機では、保守運用のために、既存の待機電力を低減できない室外機を準備する必要がなく、保守運用性を向上させることができる。
【産業上の利用可能性】
【００８８】
以上のように、本発明にかかる空気調和機は、三相交流電源に接続される空気調和機として有用である。
【符号の説明】
【００８９】
１  室外機、２  室内機、３  三相交流電源、４  室内制御部、５  室内整流部、６  室内通信回路部、７  室内動作切替部、８  室外起動リレー、９  室外整流部、１０  突入電流防止リレー、１１  突入電流防止抵抗、１２  室外リレー、１３  コンデンサ、１４  インバータ回路、１５  室外制御部、１６  室外動作切替部、１７  通信回路電源部、１８  室外通信回路部、１９  電源供給切替リレー、２０  突入電流防止リレー駆動部、２１  室内端子台、２２  室外端子台、２３  電源線、２４  電源信号共通線、２５  信号線、２６  Ｒ端子、２７  Ｓ端子、２８  Ｔ端子、２９  室外Ｓ１端子、３０  室外Ｓ２端子、３１  室外Ｓ３端子、３２  室内Ｓ１端子、３３  室内Ｓ２端子、３４  室内Ｓ３端子、３５  受信部、３６  リモコン、３７  室内機、３８  室外機、３９  電源供給リレー、４０  電源供給リレーコイル、Ｓ１〜Ｓ３５  ステップ。
【図１】
2014156963.tif 000003
【図２】
2014156963.tif 000004
【図３】
2014156963.tif 000005
【図４】
2014156963.tif 000006
【図５】
2014156963.tif 000007
【図６】
2014156963.tif 000008
【図７】
2014156963.tif 000009
【図８】
2014156963.tif 000010
【図９】
2014156963.tif 000011